(57)【要約】      （修正有）【課題】ユーザが車両の夜間運転時の危険性を的確に把握することができる模擬運転装置などを提供する。【解決手段】模擬運転装置のコントローラは、ユーザの模擬車両の運転操作に応じて、夜間模擬走行制御を実行する。夜間模擬走行制御の実行時、ユーザは、夜間照度レベルを３つのレベルに変更し、それにより、模擬車両の前照灯からの光が夜間映像内の歩行者、車両、建築物などに対して模擬的に照射されるときの照度が変更されるＳＴＥＰ４。【選択図】図５
2020086029.tif 000002
【特許請求の範囲】
【請求項１】
出力インターフェースと、
模擬車両を運転するために第１ユーザによって操作される操作手段と、
前記第１ユーザによる当該操作手段の操作状態を取得する操作状態取得手段と、
前記模擬車両が夜間走行するときの当該模擬車両の進行方向の模擬走行環境を映像化した夜間映像をデータとして記憶する夜間映像記憶手段と、
前記第１ユーザによる前記操作手段の前記操作状態に応じて、前記夜間映像記憶手段に記憶された前記夜間映像を、前記模擬車両の光源からの照明光が前記夜間映像内の物象に対して模擬的に照射されている状態で、前記出力インターフェースに表示させる夜間映像表示制御を実行する夜間映像表示制御手段と、
所定の第１変更条件が満たされたときに、前記夜間映像表示制御の実行中に表示される前記夜間映像の少なくとも一部の領域である第１所定領域の照度を複数のレベル間で変更する第１照度変更手段と、
を備えることを特徴とする模擬運転装置。
【請求項２】
請求項１に記載の模擬運転装置において、
前記夜間映像の前記第１所定領域は、前記模擬車両の前記光源からの前記照明光が前記夜間映像内の物象に到達しているように模擬的に表示されている領域であることを特徴とする模擬運転装置。
【請求項３】
請求項１に記載の模擬運転装置において、
前記夜間映像の前記第１所定領域は、前記模擬車両の前記光源からの前記照明光が前記夜間映像内の物象に到達していないように模擬的に表示されている領域であることを特徴とする模擬運転装置。
【請求項４】
請求項１ないし３のいずれかに記載の模擬運転装置において、
前記第１ユーザによって操作される第１入力インターフェースをさらに備え、
前記第１照度変更手段は、前記第１ユーザにより前記第１入力インターフェースの所定操作が実行されたときに、前記所定の第１変更条件が満たされたとして、前記第１所定領域の前記照度を変更することを特徴とする模擬運転装置。
【請求項５】
請求項１ないし４のいずれかに記載の模擬運転装置において、
前記夜間映像表示制御の実行中における前記夜間映像を記憶する記憶手段と、
前記夜間映像表示制御の終了後、前記記憶手段に記憶された前記夜間映像を前記出力インターフェースに再生表示させる夜間映像再生制御を実行する夜間映像再生制御手段と、
所定の第２変更条件が満たされたときに、前記夜間映像再生制御の実行中に前記夜間映像として再生表示される再生映像の少なくとも一部の領域である第２所定領域の照度を複数のレベル間で変更する第２照度変更手段と、
をさらに備えることを特徴とする模擬運転装置。
【請求項６】
請求項５に記載の模擬運転装置において、
前記第２所定領域は、前記模擬車両の前記光源からの前記照明光が前記再生映像内の物象に到達しているように模擬的に表示されている領域であることを特徴とする模擬運転装置。
【請求項７】
請求項５に記載の模擬運転装置において、
前記第２所定領域は、前記模擬車両の前記光源からの前記照明光が前記再生映像内の物象に到達していないように模擬的に表示されている領域であることを特徴とする模擬運転装置。
【請求項８】
請求項５ないし７のいずれかに記載の模擬運転装置において、
第２ユーザによって操作される第２入力インターフェースをさらに備え、
前記第２照度変更手段は、前記第２ユーザにより前記第２入力インターフェースの所定操作が実行されたときに、前記所定の第２変更条件が満たされたとして、前記第２所定領域の前記照度を変更することを特徴とする模擬運転装置。
【請求項９】
第１ユーザによる操作手段の操作状態を取得し、
模擬車両が夜間走行するときの当該模擬車両の進行方向の模擬走行環境を映像化した夜間映像をデータとして記憶し、
前記第１ユーザによる前記操作手段の前記操作状態に応じて、前記夜間映像を、前記模擬車両の光源からの照明光が前記夜間映像内の物象に対して模擬的に照射されている状態で出力インターフェースに表示させる夜間映像表示制御を実行し、
所定の第１変更条件が満たされたときに、前記夜間映像表示制御の実行中に表示される前記夜間映像の少なくとも一部の領域である第１所定領域の照度が複数のレベル間で変更されることを特徴とする模擬運転手法。
【発明の詳細な説明】
【技術分野】
【０００１】
本発明は、ユーザが車両の夜間運転を模擬的に体験するための模擬運転装置などに関する。
【背景技術】
【０００２】
従来、模擬運転装置として、特許文献１に記載されたものが知られている。この模擬運転装置は、ユーザが車両の夜間運転時における対向車とのすれ違い運転状態を模擬的に体験するためのものであり、スクリーン、プロジェクタ、光源及び制御装置などを備えている。
【０００３】
この模擬運転装置では、夜間の対向車の映像がプロジェクタから出力され、スクリーン上に映し出されているときに、光源の光が映像内の対向車の移動に合わせてスクリーンの裏面側から照射される。それにより、ユーザは、夜間時の対向車とのすれ違い運転状態を模擬的に体験することができる。
【先行技術文献】
【特許文献】
【０００４】
【特許文献１】特開２０１２−０２２０２７号公報
【発明の概要】
【発明が解決しようとする課題】
【０００５】
上記従来の模擬運転装置によれば、ユーザは、すれ違い運転状態しか体験できない関係上、夜間のすれ違い運転時の危険性を把握することはできるものの、それ以外の夜間運転時の危険性を把握することができないという問題がある。
【０００６】
本発明は、上記課題を解決するためになされたもので、ユーザが車両の夜間運転時の危険性を的確に把握することができる模擬運転装置などを提供することを目的とする。
【課題を解決するための手段】
【０００７】
上記目的を達成するために、本発明の模擬運転装置１は、出力インターフェース（モニタ１１）と、模擬車両２を運転するために第１ユーザ（ユーザＭ）によって操作される操作手段（ハンドル３、レバー３ａ，３ｈ，３ｊ、スイッチ３ｂ〜３ｆ、スロットルグリップ３ｉ）と、第１ユーザによる操作手段の操作状態を取得する操作状態取得手段（センサ装置４）と、模擬車両２が夜間走行するときの模擬車両２の進行方向の模擬走行環境を映像化した夜間映像をデータとして記憶する夜間映像記憶手段（コントローラ３０）と、第１ユーザによる操作手段の操作状態に応じて、夜間映像記憶手段に記憶された夜間映像を、模擬車両２の光源からの照明光が夜間映像内の物象（歩行者４４、車両４５、建築物５０〜５３）に対して模擬的に照射されている状態で、出力インターフェースに表示させる夜間映像表示制御を実行する夜間映像表示制御手段（コントローラ３０、ＳＴＥＰ１４）と、所定の第１変更条件が満たされたときに、夜間映像表示制御の実行中に表示される夜間映像の少なくとも一部の領域である第１所定領域の照度を複数のレベル間で変更する第１照度変更手段（コントローラ３０、ＳＴＥＰ４）と、を備えることを特徴とする。
【０００８】
この模擬運転装置によれば、第１ユーザによる操作手段の操作状態に応じて、夜間映像記憶手段に記憶された夜間映像を、模擬車両の光源からの照明光が夜間映像内の物象に対して模擬的に照射されている状態で、出力インターフェースに表示させる夜間映像表示制御が実行される。さらに、所定の第１変更条件が満たされたときに、夜間映像表示制御の実行中に表示される夜間映像の少なくとも一部の領域である第１所定領域の照度が複数のレベル間で変更される。
【０００９】
それにより、第１ユーザは、第１所定領域の照度が複数のレベル間で変更された状態での夜間映像を見ながら模擬車両を運転することになるので、照度が低レベルのときには高レベルのときと比べて、運転時の危険性が高まるという事象、言い換えれば運転時の安全性が低下するという事象を体験することができる。その結果、第１ユーザは、夜間運転時において、車両の光源の照度が低下したときの危険性を視覚的に把握することができ、夜間運転時の安全運転の重要性を認識することができる。
【００１０】
なお、本明細書における「照度」は、光学的な「照度」を厳密に意味する用語ではなく、以下に述べるように、夜間の視界の明るさと広さを表現する用語である。すなわち、後述する実施形態の夜間模擬走行制御処理では、模擬車両の前照灯の照射形状を模したビットマップ画像（以下「ローブマップ」という）をテクスチャとしてプログラム内に読み込み、これを走行環境の映像データのテクスチャに論理演算しながら重ね合わせる手法によって、模擬車両の前照灯が夜間の走行環境を照らし出している状態の映像を擬似的／模擬的に表現している。
【００１１】
そのため、前照灯によって照らし出される視界の明るさと広さは、重ね合わせるローブマップ自体の中央部の広さと、周囲へのコントラストの変化によって決定できるので、複数種類のローブマップを用意し、その中から１つを選択することで、前照灯によって照らし出される視界の明るさと広さ、すなわち「照度」を複数のレベル間で切り換えている。したがって、本明細書においては、夜間の視界の明るさと広さを表現する用語として「照度」を用いる。
【００１２】
本発明において、夜間映像の第１所定領域は、模擬車両２の光源からの照明光が夜間映像内の物象に到達しているように模擬的に表示されている領域であることが好ましい。
【００１３】
この模擬運転装置によれば、模擬車両の光源からの照明光が夜間映像内の物象に到達しているように模擬的に表示されている領域の照度が複数のレベル間で変更される。それにより、第１ユーザは、模擬車両の光源の照度が複数のレベル間で変化した状態、例えば、模擬車両の光源の照度が高いレベルとそれよりも低いレベルとの間で変化した状態を体験することができる。その結果、第１ユーザは、夜間運転時において、車両の光源の照度変化の影響を視覚的に把握することができる。
【００１４】
本発明において、夜間映像の第１所定領域は、模擬車両２の光源からの照明光が夜間映像内の物象に到達していないように模擬的に表示されている領域であることが好ましい。
【００１５】
この模擬運転装置によれば、模擬車両の光源からの照明光が夜間映像内の物象に到達していないように模擬的に表示されている領域の照度が複数のレベル間で変更されるので、第１ユーザは、模擬車両の光源以外の環境光（例えば、夜明け時などの太陽光）の影響の有無に起因して、夜間運転時の視認性が複数のレベル間で変化する状態を体験することができる。それにより、第１ユーザは、夜間運転時において、車両の光源以外の環境光の照度変化の影響を視覚的に把握することができる。
【００１６】
本発明において、第１ユーザによって操作される第１入力インターフェース（モニタ１１）をさらに備え、第１照度変更手段は、第１ユーザにより第１入力インターフェースの所定操作が実行されたときに、所定の第１変更条件が満たされたとして、第１所定領域の照度を変更することが好ましい。
【００１７】
この模擬運転装置によれば、第１ユーザは、第１入力インターフェースの所定操作を実行することで、第１所定領域の照度を複数のレベル間で任意に変更することができ、第１所定領域の照度を希望する照度に設定することができる。
【００１８】
本発明において、夜間映像表示制御の実行中における夜間映像を記憶する記憶手段（コントローラ３０）と、夜間映像表示制御の終了後、記憶手段に記憶された夜間映像を出力インターフェースに再生表示させる夜間映像再生制御を実行する夜間映像再生制御手段（コントローラ３０、ＳＴＥＰ２４）と、所定の第２変更条件が満たされたときに、夜間映像再生制御の実行中に夜間映像として再生表示される再生映像の少なくとも一部の領域である第２所定領域の照度を複数のレベル間で変更する第２照度変更手段（コントローラ３０、ＳＴＥＰ２３）と、をさらに備えることが好ましい。
【００１９】
この模擬運転装置によれば、夜間映像表示制御の終了後、記憶手段に記憶された夜間映像を出力インターフェースに再生表示させる夜間映像再生制御が実行される。さらに、所定の第２変更条件が満たされたときに、夜間映像再生制御の実行中に夜間映像として再生表示される再生映像の少なくとも一部の領域である第２所定領域の照度が複数のレベル間で変更される。
【００２０】
それにより、第１ユーザ又はそれ以外のユーザは、第２所定領域の照度が複数のレベル間で変更された状態での再生映像が視認することができるので、照度が低レベルのときには高レベルのときと比べて、運転時の危険性が高まるという事象、言い換えれば運転時の安全性が低下するという事象を視覚的に追体験することができる。その結果、第１ユーザ又はそれ以外のユーザは、夜間運転時において、車両の光源の照度が低下したときの危険性を再度、視覚的に把握することができ、夜間運転時の安全運転の重要性を再認識することができる。
【００２１】
本発明において、第２所定領域は、模擬車両２の光源からの照明光が再生映像内の物象に到達しているように模擬的に表示されている領域であることが好ましい。
【００２２】
この模擬運転装置によれば、模擬車両の光源からの照明光が再生映像内の物象に到達しているように模擬的に表示されている領域の照度が複数のレベル間で変更される。それにより、第１ユーザ又はそれ以外のユーザは、模擬車両の光源の照度が複数のレベル間で変化した状態、例えば、模擬車両の光源の照度が高いレベルとそれよりも低いレベルとの間で変化した状態を追体験することができる。その結果、第１ユーザ又はそれ以外のユーザは、夜間運転時において、車両の光源の照度変化の影響を再度、視覚的に把握することができる。
【００２３】
本発明において、第２所定領域は、模擬車両２の光源からの照明光が再生映像内の物象に到達していないように模擬的に表示されている領域であることが好ましい。
【００２４】
この模擬運転装置によれば、模擬車両の光源からの照明光が再生映像内の物象に到達していないように模擬的に表示されている領域の照度が複数のレベル間で変更されるので、第１ユーザ又はそれ以外のユーザは、模擬車両の光源以外の環境光（例えば、夜明け時などの太陽光）の影響の有無に起因して、夜間運転時の視認性が複数のレベル間で変化する状態を追体験することができる。それにより、第１ユーザ又はそれ以外のユーザは、夜間運転時において、車両の光源以外の環境光の照度変化の影響を再度、視覚的に把握することができる。
【００２５】
本発明において、第２ユーザによって操作される第２入力インターフェース（モニタ１１）をさらに備え、第２照度変更手段は、第２ユーザ（ユーザＭ）により第２入力インターフェースの所定操作が実行されたときに、所定の第２変更条件が満たされたとして、第２所定領域の照度を変更することが好ましい。
【００２６】
この模擬運転装置によれば、第２ユーザは、第２入力インターフェースの所定操作を実行することで、第２所定領域の照度を複数のレベル間で任意に変更することができ、第２所定領域の照度を希望する照度に設定することができる。
【００２７】
前述した目的を達成するために、本発明の模擬運転手法は、第１ユーザ（ユーザＭ）による操作手段（ハンドル３、レバー３ａ，３ｈ，３ｊ、スイッチ３ｂ〜３ｆ、スロットルグリップ３ｉ）の操作状態を取得し、模擬車両２が夜間走行するときの模擬車両２の進行方向の模擬走行環境を映像化した夜間映像をデータとして記憶し、第１ユーザによる操作手段の操作状態に応じて、夜間映像を、模擬車両２の光源からの照明光が夜間映像内の物象（歩行者４４、車両４５、建築物５０〜５３）に対して模擬的に照射されている状態で出力インターフェース（モニタ１１）に表示させる夜間映像表示制御を実行し、所定の第１変更条件が満たされたときに、夜間映像表示制御の実行中に表示される夜間映像の少なくとも一部の領域である第１所定領域の照度が複数のレベル間で変更されることを特徴とする。
【図面の簡単な説明】
【００２８】
【図１】本発明の一実施形態に係る模擬運転装置の構成を示す正面図である。
【図２】模擬運転装置の構成を示す側面図である。
【図３】ハンドル装置の構成を示す図である。
【図４】模擬運転装置の電気的な構成を示すブロック図である。
【図５】走行条件設定処理を示すフローチャートである。
【図６】走行環境を設定するときのモニタの画面表示を示す図である。
【図７】夜間照度レベルを設定するときのモニタの画面表示を示す図である。
【図８】模擬走行制御処理を示すフローチャートである。
【図９】夜間模擬走行制御処理において、夜間照度レベルが高照度レベルに設定されているときのモニタの表示映像例を示す図である。
【図１０】図９のＡ１部の拡大図である。
【図１１】夜間模擬走行制御処理において、夜間照度レベルが中照度レベルに設定されているときのモニタの表示映像例を示す図である。
【図１２】図１１のＡ２部の拡大図である。
【図１３】夜間模擬走行制御処理において、夜間照度レベルが低照度レベルに設定されているときのモニタの表示映像例を示す図である。
【図１４】図１３のＡ３部の拡大図である。
【図１５】走行再生制御処理を示すフローチャートである。
【図１６】夜間照度レベル及び環境照度レベルを設定するときのモニタの画面表示を示す図である。
【図１７】走行再生制御処理において、環境照度レベルが薄明レベルに設定され、夜間照度レベルが高照度レベルに設定されているときのモニタの表示映像例を示す図である。
【発明を実施するための形態】
【００２９】
以下、図面を参照しながら、本発明の一実施形態に係る模擬運転装置１について説明する。図１及び図２に示すように、本実施形態の模擬運転装置１は、ユーザＭが模擬車両２を用いてその夜間運転を模擬的に体験するものであり、模擬車両２に加えて、表示音響装置１０などを備えている。なお、本実施形態では、ユーザＭが第１ユーザ及び第２ユーザに相当する。
【００３０】
この模擬車両２は、ユーザＭが跨がって運転する二輪車タイプのものであり、ＭＴ車用の模擬運転と、ＡＴ車用の模擬運転とに切り換えて模擬運転を実行できるように構成されている。なお、図１，２では、ユーザＭがＡＴ車用の模擬運転時に足を乗せるステップの図示が省略されている。
【００３１】
模擬車両２は、図３に示すように、ハンドル３を備えており、このハンドル３には、兼用レバー３ａ、サイドビュースイッチ３ｂ、前照灯上下切換スイッチ３ｃ、方向指示スイッチ３ｄ、ホーンスイッチ３ｅ、スタータスイッチ３ｆ、エンジン停止スイッチ３ｇ、前輪ブレーキレバー３ｈ及びスロットルグリップ３ｉが設けられている。
【００３２】
この兼用レバー３ａは、ＭＴ車の模擬運転時には、クラッチレバーとして機能し、ＡＴ車の模擬運転時には、後輪ブレーキレバーとして機能するように切換可能に構成されている。また、サイドビュースイッチ３ｂは、表示音響装置１０の後述するモニタ１１内へのサイドビュー（サイドミラーの映像）の表示／非表示を切り換えるものである。
【００３３】
さらに、前照灯上下切換スイッチ３ｃは、前照灯のハイビーム／ロービームを切り換えるものであり、方向指示スイッチ３ｄは、左右の方向指示器の点滅／停止を切り換えるものである。一方、ホーンスイッチ３ｅは、押下して警告音を発生するためのものであり、スタータスイッチ３ｆ及びエンジン停止スイッチ３ｇはそれぞれ、エンジンの始動用及び停止用のものである。
【００３４】
また、前輪ブレーキレバー３ｈは、前輪ブレーキ操作を実行するためのものであり、スロットルグリップ３ｉは、回動させることよってエンジン回転数を上昇させるためのものである。
【００３５】
さらに、模擬車両２には、後輪ブレーキレバー３ｊ（図２参照）及び変速レバー（図示せず）が設けられている。この後輪ブレーキレバー３ｊは、ＭＴ車の模擬運転時、右足で後輪ブレーキ操作を実行するためのものであり、変速レバーは、ＭＴ車の模擬運転時、左足で変速動作を実行するためのものである。なお、本実施形態では、以上の要素３，３ａ〜３ｊが操作手段に相当する。
【００３６】
前述した表示音響装置１０は、モニタ１１及び左右のスピーカ１２，１２を備えており、これらのモニタ１１及び左右のスピーカ１２，１２は、図４に示すように、コントローラ３０に電気的に接続されている。
【００３７】
この表示音響装置１０では、模擬車両２の運転中、後述するコントローラ３０からの映像信号によって、模擬運転用の映像がモニタ１１に表示され、コントローラ３０からの音響信号によって、模擬運転用の走行音などが左右のスピーカ１２，１２から出力される。
【００３８】
また、モニタ１１は、表示装置と位置入力装置を組み合わせた、いわゆるタッチパネルタイプのものである。このモニタ１１は、後述するように、走行条件の設定時などに、ボタンタイプのアイコンなどを表示するとともに、これらのアイコンなどがユーザＭによってタッチ操作されたときに、その操作状態を表す信号をコントローラ３０に出力する。なお、本実施形態では、モニタ１１が出力インターフェース、第１入力インターフェース及び第２入力インターフェースに相当する。
【００３９】
一方、コントローラ３０は、表示音響装置１０に内蔵されており（図２参照）、このコントローラ３０によって、模擬運転の実行中、後述するように、走行条件設定処理及び模擬走行制御処理などの制御処理が実行される。なお、本実施形態では、コントローラ３０が、夜間映像記憶手段、夜間映像表示制御手段、第１照度変更手段、記憶手段、夜間映像再生制御手段及び第２照度変更手段に相当する。
【００４０】
このコントローラ３０には、前述したモニタ１１及びスピーカ１２に加えて、センサ装置４及びアクチュエータ装置５が電気的に接続されている。
【００４１】
センサ装置４（操作状態取得手段）は、各種のセンサで構成されており、前述した各種の構成要素３ａ〜３ｊ及び変速レバーの操作状態と、ハンドル３の操舵角とを表す操作状態データを検出して、それらを表す検出信号をコントローラ３０に出力する。
【００４２】
また、アクチュエータ装置５は、複数のアクチュエータで構成されている。コントローラ３０は、模擬運転の実行中、アクチュエータ装置５を駆動することにより、後述する模擬走行制御処理を実行する。この模擬走行制御処理では、ユーザＭが前後方向、上下方向及び左右方向の加減速度などを感じるように、模擬車両２の挙動が制御される。
【００４３】
一方、コントローラ３０は、記憶装置３１、データベース３２及び演算処理装置３３を備えている。この記憶装置３１は、例えば、ＲＡＭ及びＥ２ＰＲＯＭなどで構成されており、前述したセンサ装置４からの検出信号が表す操作状態データ、及び後述する模擬走行制御処理における演算結果などを記憶する。
【００４４】
また、データベース３２は、例えば、ＲＯＭなどで構成されており、その内部には、運転用の各種コース、各種走行条件及び各種環境条件などを含む模擬走行環境データ（映像データ及び音響データ）が記憶されている。
【００４５】
さらに、演算処理装置３３は、例えば、ＣＰＵなどで構成されており、模擬運転時には、ユーザＭによるモニタ１１へのタッチ操作状態及びセンサ装置４からの検出信号などに応じて、以下に述べるように、模擬走行制御処理及び走行再生制御処理などを実行する。
【００４６】
次に、図５を参照しながら、走行条件設定処理について説明する。この走行条件設定処理は、模擬走行を実行するときの走行条件を設定するものであり、コントローラ３０によって、模擬走行制御処理の開始前に実行される。以下の説明において算出／設定される各種の値は、コントローラ３０の記憶装置３１内に記憶されるものとする。
【００４７】
同図に示すように、まず、走行コースを設定する（図５／ＳＴＥＰ１）。この場合、走行コースは、市街地コース及び高速道路コースなどの複数種のコースから選択される。
【００４８】
次いで、走行環境を設定する（図５／ＳＴＥＰ２）。この走行環境は、以下に述べるように設定される。すなわち、図６に示すように、「昼」、「夜」、「霧」及び「雨」がそれぞれ表示された４つのアイコン１１ａ〜１１ｄがモニタ１１に表示されている状態で、これら４つのアイコン１１ａ〜１１ｄのいずれか１つがユーザＭによってタッチ操作されることによって、走行環境が設定される。
【００４９】
この場合、「昼」のアイコン１１ａがタッチ操作されたときには、走行環境が昼間走行環境に設定され、「夜」のアイコン１１ｂがタッチ操作されたときには、走行環境が夜間走行環境に設定される。さらに、「霧」のアイコン１１ｃがタッチ操作されたときには、走行環境として、霧中走行環境が設定され、「雨」のアイコン１１ｄがタッチ操作されたときには、走行環境が雨中走行環境に設定される。
【００５０】
次に、上記のように設定された走行環境が夜間走行環境であるか否かを判定する（図５／ＳＴＥＰ３）。この判定が否定であるとき（図５／ＳＴＥＰ３…ＮＯ）には、そのまま本処理を終了する。
【００５１】
一方、この判定が肯定であるとき（図５／ＳＴＥＰ３…ＹＥＳ）、すなわち走行環境が夜間走行環境に設定されたときには、夜間照度レベル設定処理を実行する。この夜間照度レベル設定処理では、以下に述べるように夜間照度レベルが設定される。
【００５２】
すなわち、図７に示すように、「高」、「中」及び「低」がそれぞれ表示された３つのアイコン１１ｅ〜１１ｇがモニタ１１に表示されるとともに、これら３つのアイコン１１ｅ〜１１ｇのいずれか１つがユーザＭによってタッチ操作されることによって、夜間照度レベルが設定される。
【００５３】
この場合、「高」のアイコン１１ｅがタッチ操作されたときには、夜間照度レベルが高照度レベルに設定される。それにより、後述する夜間模擬走行制御処理において、模擬車両２の前照灯が所定照度で前方の走行環境を照らしているように、夜間の走行環境の映像（以下「夜間映像」という）がモニタ１１に表示される（後述する図９参照）。
【００５４】
また、「中」のアイコン１１ｆがタッチ操作されたときには、夜間照度レベルが中照度レベルに設定される。それにより、後述する夜間模擬走行制御処理において、模擬車両２の前照灯が所定照度よりも若干、低い照度で前方の走行環境を照らしているように、夜間映像がモニタ１１に表示される（後述する図１１参照）。
【００５５】
さらに、「低」のアイコン１１ｇがタッチ操作されたときには、夜間照度レベルが低照度レベルに設定される。それにより、後述する模擬走行制御処理において、模擬車両２の前照灯が、夜間照度レベルが中照度レベルに設定されているときよりもさらに低い照度で前方の走行環境を照らしているように、夜間映像がモニタ１１に表示される（後述する図１３参照）。以上のように、夜間照度レベルを設定した後、本処理を終了する。
【００５６】
次に、図８を参照しながら、模擬走行制御処理について説明する。この模擬走行制御処理は、模擬車両２を用いて、ユーザＭによる模擬走行状態を制御するものであり、コントローラ３０によって実行される。
【００５７】
同図に示すように、まず、走行条件が設定済みであるか否かを判定する（図８／ＳＴＥＰ１１）。すなわち、上述した図５の走行条件設定処理を実行済みであるか否かを判定する。この判定が否定であるときには（図８／ＳＴＥＰ１１…ＮＯ）、そのまま本処理を終了する。
【００５８】
一方、この判定が肯定であるとき（図８／ＳＴＥＰ１１…ＹＥＳ）、すなわち走行条件が設定済みであるときには、制御開始操作が実行されたか否かを判定する（図８／ＳＴＥＰ１２）。この場合、ユーザＭによってモニタ１１内の制御開始アイコン（図示せず）がタッチ操作されたときに、制御開始操作が実行されたと判定される。
【００５９】
この判定が否定であるときには（図８／ＳＴＥＰ１２…ＮＯ）、そのまま本処理を終了する。一方、この判定が肯定であるとき（図８／ＳＴＥＰ１２…ＹＥＳ）には、前述したように設定された走行環境が夜間走行環境であるか否かを判定する（図８／ＳＴＥＰ１３）。
【００６０】
この判定が肯定であるとき（図８／ＳＴＥＰ１３…ＹＥＳ）には、夜間模擬走行制御処理を実行する（図８／ＳＴＥＰ１４）。この夜間模擬走行制御処理（夜間映像表示制御）では、前述した夜間照度レベルに応じて、模擬車両２の前方の夜間映像がモニタ１１に動画として表示される。この場合、夜間照度レベルが高照度レベルに設定されているときには、例えば、図９に示すように、夜間映像がモニタ１１に表示される。
【００６１】
なお、同図においては、夜間映像をそのまま示すと理解不能な状態になってしまうので、理解の容易化のために、模擬車両２の前照灯の光の到達度合に起因する物象の視認性に基づき、物象が線の種類を変更した状態で示されている。すなわち、実線で示される物象は、ユーザＭが明確に視認できる状態で表示されているものであり、１点鎖線で示されている物象は、ユーザＭが不明確ながら視認できる状態で表示されているものである。さらに、破線で示されている物象は、ユーザＭが視認できない状態（すなわち黒色又はそれに近い状態）で表示されているものである。この点は、後述する図１０〜１４などにおいても同様である。
【００６２】
図９を参照すると明らかなように、夜間照度レベルが高照度レベルに設定されているときには、モニタ１１において、模擬車両２のメータパネル４０が正面に示されるとともに、前方の走行車線の両側の白線４１，４１、横断歩道４２、停止車両４３は、ユーザＭが明確に視認できる状態で表示される。また、左の路側帯の白線４６などは、ユーザＭが不明確ながら視認できる状態で表示される。
【００６３】
さらに、右前方の建築物５０などは、ユーザＭが視認できない状態で表示されるとともに、その手前の建築物５１は、内部照明によって窓や屋根などはユーザＭが明確に視認できる状態で表示されるものの、その塀５１ａなどはユーザＭが視認できない状態で表示される。これに加えて、左前方の建築物５２（塀）や、その手前の建築物５３のフェンス５３ａなどもユーザＭが視認できない状態で表示される。
【００６４】
さらに、図９のＡ１部を拡大した図１０を参照すると明らかなように、横断歩道４２を横断しようとしている歩行者４４は、下半身が停止車両４３に隠れているものの、その上半身は、ユーザＭが明確に視認できる状態で表示される。さらに、歩行者４４の前方から車道に出てこようとしている車両４５も、ユーザＭが明確に視認できる状態で表示される。なお、本実施形態では、歩行者４４、車両４５及び建築物５０〜５３が夜間映像内の物象に相当する。
【００６５】
一方、夜間照度レベルが中照度レベルに設定されているときには、例えば、図１１に示すように、夜間映像がモニタ１１に表示される。同図を参照すると明らかなように、夜間照度レベルが中照度レベルに設定されているときには、モニタ１１において、前方の走行車線の両側の白線４１，４１、横断歩道４２、停止車両４３及び左右の建築物５１，５３の上部などは、ユーザＭが不明確ながら視認できる状態で表示される。また、左の路側帯の白線４６などは、ユーザＭが視認できない状態で表示される。
【００６６】
さらに、図１１のＡ２部（図９のＡ１部と同じ部分）を拡大した図１２を参照すると明らかなように、車両４５は、ユーザＭが不明確ながら視認できる状態で表示されるものの、歩行者４４は、ユーザＭが視認できない状態で表示される。
【００６７】
一方、夜間照度レベルが低照度レベルに設定されているときには、例えば、図１３に示すように、夜間映像がモニタ１１に表示される。同図を参照すると明らかなように、夜間照度レベルが低照度レベルに設定されているときには、モニタ１１において、前方の走行車線の両側の白線４１，４１、横断歩道４２及び停止車両４３の外形は、ユーザＭが不明確ながら視認できる状態で表示される。
【００６８】
また、図１３のＡ３部（図９のＡ１部と同じ部分）を拡大した図１４を参照すると明らかなように、歩行者４４及び車両４５はいずれも、ユーザＭが視認できない状態で表示される。
【００６９】
図８に戻り、夜間模擬走行制御処理では、以上のように、夜間照度レベルに応じて、模擬車両２の前方の夜間映像がモニタ１１に表示される。これに加えて、模擬車両２の走行音、エンジン音及びブレーキ音などがスピーカ１２から出力されるとともに、アクチュエータ装置５の動作状態が制御される。
【００７０】
例えば、ユーザＭがスロットルグリップ３ｉを開ける方向に回したときには、加速感が得られるように、模擬車両２の挙動が制御され、ユーザＭがブレーキ操作を実行したときには、減速感が得られるように、模擬車両２の挙動が制御される。これと同時に、夜間模擬走行制御処理を実行したときの夜間映像などが、コントローラ３０の記憶装置３１内に記憶される。以上のように、夜間模擬走行制御処理を実行した後、本処理を終了する。
【００７１】
一方、前述した判定が否定で（図８／ＳＴＥＰ１３…ＮＯ）、走行環境が夜間走行環境以外のものに設定されているときには、各種模擬走行制御処理を実行する（図８／ＳＴＥＰ１５）。この各種模擬走行制御処理では、前述した走行条件設定処理で設定された走行環境（例えば昼間走行環境）に応じて、模擬車両２の前方の映像がモニタ１１に表示される。
【００７２】
さらに、模擬車両２の走行音、エンジン音及びブレーキ音などがスピーカ１２から出力されるとともに、アクチュエータ装置５の動作状態が制御される。これと同時に、各種模擬走行制御処理を実行したときの模擬車両２の前方の映像などが、コントローラ３０の記憶装置３１内に記憶される。以上のように、各種模擬走行制御処理を実行した後、本処理を終了する。
【００７３】
次に、図１５を参照しながら、走行再生制御処理について説明する。この走行再生制御処理は、前述した図８の模擬走行制御処理の実行中にコントローラ３０の記憶装置３１内に記憶された、模擬車両２の走行状態を再生するものであり、コントローラ３０によって実行される。
【００７４】
同図に示すように、まず、前述した模擬走行制御処理を実行済みであるか否かを判定する（図１５／ＳＴＥＰ２１）。この判定が否定であるとき（図１５／ＳＴＥＰ２１…ＮＯ）には、そのまま本処理を終了する。
【００７５】
一方、この判定が肯定であるとき（図１５／ＳＴＥＰ２１…ＹＥＳ）には、前述した夜間模擬走行制御処理を実行済みであるか否かを判定する（図１５／ＳＴＥＰ２２）。
【００７６】
この判定が肯定であるとき（図１５／ＳＴＥＰ２２…ＹＥＳ）には、照度レベル設定処理を実行する（図１５／ＳＴＥＰ２３）。この照度レベル設定処理では、以下に述べるように、前述した夜間照度レベルに加えて、夜間映像における環境光の照度レベルである環境照度レベルが設定される。
【００７７】
すなわち、図１６に示すように、夜間照度レベルを設定するための、前述した「高」、「中」及び「低」のアイコン１１ｅ〜１１ｇに加えて、環境照度レベルを設定するための、「通常」及び「薄明」の２つのアイコン１１ｈ，１１ｉがモニタ１１に表示される。
【００７８】
そして、これら３つのアイコン１１ｅ〜１１ｇのいずれか１つがユーザＭによってタッチ操作されることにより、前述したように、夜間照度レベルが設定される。また、２つのアイコン１１ｈ，１１ｉの一方がユーザＭによってタッチ操作されることにより、以下に述べるように、環境照度レベルが設定される。
【００７９】
この場合、「通常」のアイコン１１ｈがタッチ操作されたときには、環境照度レベルが通常レベルに設定される。この通常レベルは、前述した図９などの、通常の夜間時における環境光の照度レベルである。
【００８０】
一方、「薄明」のアイコン１１ｉがタッチ操作されたときには、環境照度レベルが薄明レベルに設定される。この薄明レベルは、環境光が夜明け前のような通常の夜間よりも高いレベルで物象に照射されるようなレベルである。それにより、後述する夜間走行再生制御処理において、環境光が模擬車両２の前方の走行環境に対して通常レベルよりも高いレベルで照射されているように、夜間映像がモニタ１１に再生表示される（後述する図１７参照）。
【００８１】
次いで、夜間走行再生制御処理を実行する（図１５／ＳＴＥＰ２４）。この夜間走行再生制御処理（夜間映像再生制御）では、夜間模擬走行制御処理を実行したときの模擬車両２の走行音、エンジン音及びブレーキ音などがスピーカ１２から出力される。
【００８２】
これと同時に、夜間模擬走行制御処理を実行したときの夜間映像がモニタ１１に再生表示される。その際、環境照度レベルが通常レベルに設定されているときには、夜間照度レベルに応じて、前述した図９〜１４と同様に、夜間映像がモニタ１１に再生表示される。
【００８３】
一方、環境照度レベルが薄明レベルに設定されている場合、環境光が模擬車両２の前方の走行環境を通常レベルよりも高いレベルで照らしているように、夜間映像がモニタ１１に再生表示される。例えば、図１７に示すように、夜間映像がモニタ１１に再生表示される。
【００８４】
この図１７は、環境照度レベルが薄明レベルに設定され、かつ夜間照度レベルが高照度レベルに設定されているときの夜間映像である。この図１７と前述した図９を比較すると明らかなように、図９においてユーザＭが視認できない状態で表示されていた物象が図１７においてユーザＭが明確に視認できる状態で表示されていることが判る。
【００８５】
例えば、図９の場合、右前方の建築物５０及びその手前の建築物５１の塀５１ａと、左前方の建築物５２及びその手前の建築物５３のフェンス５３ａなどの物象は、ユーザＭが視認できない状態で表示されるのに対して、図１７の場合、これらの物象は、ユーザＭが明確に視認できる状態で表示されている。
【００８６】
すなわち、環境照度レベルが薄明レベルに設定されている場合には、通常レベルのときと比べて、ユーザＭが明確に視認できる領域が拡大された状態で、夜間映像が表示されていることが判る。以上のように夜間走行再生制御処理を実行した後、本処理を終了する。
【００８７】
なお、本実施形態では、図９においてユーザＭが明確に視認できる状態及びユーザＭが不明確ながら視認できる状態で表示されていた物象が存在する領域が、第１所定領域及び第２所定領域に相当する。さらに、図９において視認できない状態で表示されていたものの、図１７においてユーザＭが明確に視認できる状態で表示されている物象が存在する領域が第２所定領域に相当する。
【００８８】
図１５に戻り、前述した判定が否定であるとき（図１５／ＳＴＥＰ２２…ＮＯ）、すなわち前述した各種模擬走行制御処理を実行済みであるときには、各種再生制御処理を実行する（図１５／ＳＴＥＰ２５）。この各種再生制御処理では、各種模擬走行制御処理を実行したときの模擬車両２の走行音、エンジン音及びブレーキ音などが、スピーカ１２から出力されるとともに、夜間映像がモニタ１１に再生表示される。以上のように各種走行再生制御処理を実行した後、本処理を終了する。
【００８９】
以上のように、本実施形態の模擬運転装置１によれば、走行条件設定処理において、ユーザＭによって、走行環境が夜間走行環境に設定されたときには、夜間照度レベルが、高照度レベル、中照度レベル及び低照度レベルのいずれかに設定される。
【００９０】
そして、夜間模擬走行制御処理の実行中、夜間照度レベルに応じて、模擬車両２の前方の夜間映像が動画としてモニタ１１に表示される。この場合、夜間照度レベルが高照度レベルに設定されているときには、図９に示すような夜間映像がモニタ１１に表示され、夜間照度レベルが中照度レベルに設定されているときには、図１１に示すような夜間映像がモニタ１１に表示される。また、夜間照度レベルが低照度レベルに設定されているときには、図１３に示すような夜間映像がモニタ１１に表示される。
【００９１】
それにより、ユーザＭは、模擬車両２の前照灯の照度が３つのレベルで変化したときの夜間映像の変化状態を模擬的に体験することができる。例えば、夜間照度レベルが高照度レベルから中照度レベルに変化したときに、歩行者４４が見えなくなり、夜間照度レベルが高照度レベル又は中照度レベルから低照度レベルに変化したときに、車両４５が見えなくなる状態を体験することができる。その結果、ユーザＭは、夜間運転時において、車両の光源の照度が低下したときの危険性を視覚的に把握することができ、夜間運転時の安全運転の重要性を認識することができる。
【００９２】
また、ユーザＭは、モニタ１１に表示された３つのアイコン１１ｅ〜１１ｇのうちの１つを選択してタッチ操作するだけで、夜間照度レベルを３つのレベルのいずれか１つに容易に設定することができ、夜間照度を希望する照度に容易に設定することができる。
【００９３】
さらに、夜間模擬走行制御処理の実行後、ユーザＭによって、夜間照度レベル及び環境照度レベルが設定された後、夜間走行再生制御処理が実行される。そして、夜間走行再生制御処理の実行中、夜間照度レベル及び環境照度レベルに応じて、模擬車両２の前方の再生映像がモニタ１１に表示される。
【００９４】
その際、夜間照度レベルが高照度レベルに設定されている場合において、環境照度レベルが通常レベルに設定されているときには、図９に示すような再生映像がモニタ１１に表示される。一方、夜間照度レベルが高照度レベルに設定されている場合において、環境照度レベルが薄明レベルに設定されているときには、図１７に示すような再生映像がモニタ１１に表示される。
【００９５】
それにより、ユーザＭは、環境照度レベルが薄明レベルに設定されている場合、通常レベルに設定されていたときに視認できなかった物象（右前方の建築物５０）が明確に視認できる状態で表示されるのを体験することができる。すなわち、模擬車両２の光源以外の環境光の影響の有無に起因して、夜間運転時における視認性が変化するのを体験することができる。
【００９６】
さらに、模擬車両２の夜間模擬走行を実行した後、夜間模擬走行中の夜間映像をすぐに再生することによって、ユーザＭは、夜間模擬走行を体験したときの感覚及び記憶が明確に残っている状態で、それを追体験することができる。その結果、夜間運転時の安全運転の重要性を再認識することができる。
【００９７】
また、ユーザＭは、モニタ１１に表示された２つのアイコン１１ｈ，１１ｉのうちの１つを選択してタッチ操作するだけで、環境照度レベルを２つのレベルのいずれかに容易に設定することができ、環境照度を希望する照度に容易に設定することができる。
【００９８】
なお、実施形態は、模擬車両として、２輪車両タイプのものを用いた例であるが、本発明の模擬車両はこれに限らず、３輪以上の車輪を備えた車両を用いてもよい。
【００９９】
また、実施形態は、１人のユーザＭを第１ユーザ及び第２ユーザとした例であるが、第１ユーザ及び第２ユーザを別人としてもよい。
【０１００】
さらに、実施形態は、操作手段として、ハンドル３、レバー３ａ，３ｈ，３ｊ、スイッチ３ｃ〜３ｆ及びスロットルグリップ３ｉを用いた例であるが、本発明の操作手段はこれに限らず、模擬車両を運転するために第１ユーザによって操作されるものであればよい。
【０１０１】
一方、実施形態は、出力インターフェースとして、モニタ１１を用いた例であるが、本発明の出力インターフェースはこれに限らず、夜間映像を表示可能なものであればよい。例えば、出力インターフェースとして、３Ｄホログラム装置や、ヘッドマウント式のＶＲ装置を用いてもよい。
【０１０２】
また、実施形態は、第１入力インターフェースとして、タッチパネルタイプのモニタ１１を用いた例であるが、本発明の第１入力インターフェースはこれに限らず、第１ユーザによって所定操作が実行されるものであればよい。例えば、第１入力インターフェースとして、レーザポインタなどの光学式ポインティングデバイス、タッチペンなどの接触式のデバイス、及び音声を所定操作に変換できる非接触式のデバイスを用いてもよい。
【０１０３】
さらに、実施形態は、第２入力インターフェースとして、タッチパネルタイプのモニタ１１を用いた例であるが、本発明の第２入力インターフェースはこれに限らず、第２ユーザによって所定操作が実行されるものであればよい。例えば、入力インターフェースとして、レーザポインタなどの光学式ポインティングデバイス、タッチペンなどの接触式のデバイス、及び音声を所定の描画動作に変換できる非接触式のデバイスを用いてもよい。
【０１０４】
一方、実施形態は、夜間模擬走行制御処理を実行するときに、夜間照度レベルを３つのレベル間で切り換えるように構成した例であるが、夜間照度レベルを２つのレベル間で切り換えたり、夜間照度レベルを４つ以上のレベル間で切り換えたりするように構成してもよい。また、夜間模擬走行制御処理を実行するときに、環境照度レベルを複数のレベル間で切り換えるように構成してもよい。
【０１０５】
また、実施形態は、夜間走行再生制御処理を実行するときに、夜間照度レベルを３つのレベル間で切り換えるように構成した例であるが、夜間照度レベルを２つのレベル間で切り換えたり、夜間照度レベルを４つ以上のレベル間で切り換えたりするように構成してもよい。
【０１０６】
さらに、実施形態は、夜間走行再生制御処理を実行するときに、環境照度レベルを２つのレベル間で切り換えるように構成した例であるが、環境照度レベルを３つ以上のレベル間で切り換えるように構成してもよい。
【０１０７】
一方、実施形態は、夜間走行再生制御処理の実行前に、夜間照度レベル及び環境照度レベルを予め設定した例であるが、夜間走行再生制御処理の実行中において、夜間照度レベル及び環境照度レベルの少なくとも一方を切り換えるように構成してもよい。
【０１０８】
また、実施形態は、ユーザＭが模擬運転装置１を１人で使用するように構成した例であるが、ユーザＭが模擬車両２を運転するとともに、教官などの他のユーザが模擬運転装置１のモニタ１１における各種設定操作を実行することによって、ユーザＭに対して運転教習を実行するように構成してもよい。
【符号の説明】
【０１０９】
Ｍ  ユーザ（第１ユーザ、第２ユーザ）
１  模擬運転装置
２  模擬車両
３  ハンドル（操作手段）
３ａ  兼用レバー（操作手段）
３ｂ  サイドビュースイッチ（操作手段）
３ｃ  前照灯上下切換スイッチ（操作手段）
３ｄ  方向指示スイッチ（操作手段）
３ｅ  ホーンスイッチ（操作手段）
３ｆ  スタータスイッチ（操作手段）
３ｇ  エンジン停止スイッチ（操作手段）
３ｈ  前輪ブレーキレバー（操作手段）
３ｉ  スロットルグリップ（操作手段）
３ｊ  後輪ブレーキレバー（操作手段）
４  センサ装置（操作状態取得手段）
１１  モニタ（出力インターフェース、第１入力インターフェース、第２入力インター        フェース）
３０  コントローラ（夜間映像記憶手段、夜間映像表示制御手段、第１照度変更手段、        記憶手段、夜間映像再生制御手段、第２照度変更手段）
４４  歩行者（夜間映像内の物象）
４５  車両（夜間映像内の物象）
５０  建築物（夜間映像内の物象）
５１  建築物（夜間映像内の物象）
５２  建築物（夜間映像内の物象）
５３  建築物（夜間映像内の物象）
【図１】
2020086029.tif 000003
【図２】
2020086029.tif 000004
【図３】
2020086029.tif 000005
【図４】
2020086029.tif 000006
【図５】
2020086029.tif 000007
【図６】
2020086029.tif 000008
【図７】
2020086029.tif 000009
【図８】
2020086029.tif 000010
【図９】
2020086029.tif 000011
【図１０】
2020086029.tif 000012
【図１１】
2020086029.tif 000013
【図１２】
2020086029.tif 000014
【図１３】
2020086029.tif 000015
【図１４】
2020086029.tif 000016
【図１５】
2020086029.tif 000017
【図１６】
2020086029.tif 000018
【図１７】
2020086029.tif 000019